(57)【要約】【課題】記録ヘッドと媒体との距離や媒体の速度の変化した場合でも、着弾精度を確保することのできるインクジェットプリンタを提供することである。【解決手段】インクジェットプリンタは、搬送される記録媒体２１に対して画像記録を行うために複数の記録ヘッド７１によって構成されたラインヘッド３１Ｃ,３１Ｋ，３１Ｍ，３１Ｙを有し、搬送される記録媒体２１の同一領域にインクを吐出する記録ヘッド７１は、それぞれ同一の吐出特性を有している。【選択図】      図７
2011161902.tif 000002
【特許請求の範囲】
【請求項１】
所定色のインクを吐出する複数の記録ヘッドによってラインヘッドを構成し、前記ラインヘッドを記録媒体の搬送方向に複数配置することで前記記録媒体にカラー画像の記録を行うインクジェットプリンタにおいて、
搬送される前記記録媒体の同一領域に前記所定色のインクを吐出する各色の記録ヘッドは、それぞれ同一の吐出特性を有することを特徴とするインクジェットプリンタ。
【請求項２】
所定色のインクを吐出する複数の記録ヘッドによってラインヘッドを構成し、前記ラインヘッドを記録媒体の搬送方向に複数配置することで前記記録媒体にカラー画像の記録を行うインクジェットプリンタにおいて、
前記記録媒体の搬送方向に配列された各色の記録ヘッドは、それぞれ同一の吐出特性を有することを特徴とするインクジェットプリンタ。
【請求項３】
前記吐出特性は、前記記録ヘッドから吐出される前記インクの吐出速度、又は前記記録ヘッドから吐出される前記インクの吐出方向を含むことを特徴とする請求項１、又は２に記載のインクジェットプリンタ。
【発明の詳細な説明】
【技術分野】
【０００１】
本発明はインクジェットプリンタに関するもので、より詳細には、複数の記録ヘッドでラインヘッドを構成し、このラインヘッドを記録媒体の搬送方向に複数配置して画像記録を行うインクジェットプリンタに関する。
【背景技術】
【０００２】
従来、インクジェットプリンタは、記録ヘッドの複数のノズルより、用紙搬送手段により搬送される用紙に対してインク滴を吐出することにより画像記録を行う。
【０００３】
このようなインクジェットプリンタの中には、複数の記録ヘッドを記録媒体の幅以上となるようにホルダに固定することでラインヘッドを構成し、記録媒体のみを移動して画像記録を行うプリンタ（以下、ラインプリンタと称す）がある。このラインプリンタでは、複数の記録ヘッドをホルダに固定する際、記録ヘッドのノズルが理想的な位置となるように位置調整される。
【０００４】
このように記録ヘッドを理想とする位置に位置決めした場合、記録ヘッドから噴射されるインクの速度が等しければ、複数の記録ヘッドから一定距離、離れた場所を、一定速度で搬送される媒体に精度良くインクを着弾させることは容易なことである。  
しかしながら、実際には、記録ヘッドの噴射速度は一定ではないため、例えば、下記特許文献１に記載されているように、吐出のタイミングを調整して、着弾精度を上げるよう構成する方法が知られている。
【先行技術文献】
【特許文献】
【０００５】
【特許文献１】特開２００８−１６２０６７号公報
【発明の概要】
【発明が解決しようとする課題】
【０００６】
しかしながら、前述した特許文献１のように、仮に、ある程度精度良く吐出タイミングを調整できたとしても、記録ヘッドと媒体との距離や媒体の速度が変わってしまうと、その着弾は大幅にずれてしまうこととなる。
【０００７】
そこで、本発明は、記録ヘッドと媒体との距離や媒体の速度の変化した場合でも、着弾精度を確保することのできるインクジェットプリンタを提供することを目的とする。
【課題を解決するための手段】
【０００８】
本発明のインクジェットプリンタは、所定色のインクを吐出する複数の記録ヘッドによってラインヘッドを構成し、前記ラインヘッドを記録媒体の搬送方向に複数配置することで前記記録媒体にカラー画像の記録を行うインクジェットプリンタにおいて、搬送される前記記録媒体の同一領域に前記所定色のインクを吐出する各色の記録ヘッドは、それぞれ同一の吐出特性を有することを特徴とする。
【０００９】
また、本発明のインクジェットプリンタは、所定色のインクを吐出する複数の記録ヘッドによってラインヘッドを構成し、前記ラインヘッドを記録媒体の搬送方向に複数配置することで前記記録媒体にカラー画像の記録を行うインクジェットプリンタにおいて、
前記記録媒体の搬送方向に配列された各色の記録ヘッドは、それぞれ同一の吐出特性を有することを特徴とする。
【発明の効果】
【００１０】
本発明は、記録ヘッドと媒体との距離や媒体の速度の変化した場合でも、着弾精度を確保することのできるインクジェットプリンタを提供することができる。
【図面の簡単な説明】
【００１１】
【図１】本発明の一実施形態に係るインクジェットプリンタの構成を示すもので、（ａ）はインクジェットプリンタの画像記録位置の状態を示す概略側面図、（ｂ）はインクジェットプリンタの非記録位置の状態を示す概略側面図である。
【図２】図１のインクジェットプリンタの画像記録部及び搬送機構の構造を示す斜視図である。
【図３】（ａ）はヘッド保持部材の開口の近傍を拡大した上面図、（ｂ）は開口に記録ヘッドを装着した状態の上面図である。
【図４】使用される記録ヘッドの吐出特性を示した図である。
【図５】本発明の一実施形態に於けるインクジェットプリンタのヘッド調整治具の構造を示した斜視図である。
【図６】図５のヘッド調整治具の調整コマの動きの概略を示した図である。
【図７】記録ヘッドを該記録ヘッドの吐出特性に基づいてヘッド保持部材に固定した図である。
【発明を実施するための形態】
【００１２】
以下、図面を参照して本発明の実施形態について説明する。  
先ず、図１乃至図８を参照して、本発明の一実施形態について説明する。  
図１は、本発明の一実施形態に係るインクジェットプリンタの構成を示すもので、（ａ）はインクジェットプリンタの画像記録位置の状態を示す概略側面図、（ｂ）はインクジェットプリンタの非記録位置の状態を示す概略側面図である。図２は、画像記録部及び搬送機構の構造を示す斜視図である。図３（ａ）はヘッド保持部材の開口の近傍を拡大した上面図、図３（ｂ）は開口に記録ヘッドを装着した状態の上面図である。
【００１３】
尚、本実施形態に於いては、記録媒体の搬送方向をＸ方向とし、該Ｘ方向と直交する方向をＹ方向または幅方向とし、Ｘ方向及びＹ方向に直交する方向をＺ方向または上下方向と称するものとする。  
インクジェットプリンタ１０は、大別すると、供給部１１と、画像記録部１２と、搬送機構１３と、昇降機構１４と、収納部１５と、制御部１７と、に分けて構成されている。
【００１４】
供給部１１は、記録媒体２１を収容する給紙台２２と、給紙ローラ２３と、レジストローラ対２４とを有して構成される。  
給紙ローラ２３はピックアップローラとも称されるもので、給紙台２２に収容されている記録媒体２１と接触して、該記録媒体２１を１枚単位で順次搬送機構１３に取り出す。
【００１５】
レジストローラ対２４は、レジストローラ２４ａ、２４ｂで構成されるもので、下方のレジストローラ２４ｂの上面が記録媒体２１の搬送経路延長線上と略同一面となるように配置されている。また、レジストローラ２４ｂの上方には、図示されないバネによってレジストローラ２４ｂに向けて付勢されているレジストローラ２４ａが設けられている。
【００１６】
このレジストローラ対２４は、記録媒体２１の先端が、該レジストローラ対２４のニップ部に当接した際に、記録媒体２１の搬送方向（Ｘ軸方向）に対する傾き（斜行）を補正する機能を有している。
【００１７】
次に画像記録部１２について説明する。  
画像記録部１２は、本実施形態では、例えば、４色（シアン（Ｃ）、ブラック（Ｂ）、マゼンタ（Ｍ）、イエロー（Ｙ））のインクを吐出するラインヘッド３１Ｃ、３１Ｋ、３１Ｍ、３１Ｙを有するヘッド部３１と、このヘッド部３１を保持するヘッド保持部材３２と、間隔調整部材３３（３３ａ、３３ｂ、３３ｃ、３３ｄ）と、を有して構成されている。
【００１８】
ヘッド保持部材３２には、複数の開口７０（図３（ａ）参照）が設けられている。この開口７０のそれぞれには、記録ヘッド７１が挿入される。そして記録ヘッド７１は、ヘッド保持部材３２に位置決め固定される。そのため開口７０近傍には、図３（ａ）に示されるように、記録ヘッド７１を締結部材としてのビス７５、７６によってヘッド保持部材３２に固定するための孔７３、７４が形成されている。さらに、開口７０近傍には、後述するヘッド調整治具９０の調整コマが挿入される孔７７、７８、及びヘッド調整治具９０をヘッド保持部材３２に固定するための孔７９、８０も形成されている。
【００１９】
そして、図３（ｂ）に示されるように、記録ヘッド７１が開口７０に挿入され、後述するヘッド調整治具９０によってヘッド保持部材３２に対する記録ヘッド７１の相対位置が調整される。そして、調整が完了したら、ビス７５、７６が螺着されることによって、記録ヘッド７１がヘッド保持部材３２に固定される。
【００２０】
本実施形態では、図２に示すように、各ラインヘッド３１Ｃ〜３１Ｙは、記録媒体２１の幅方向に於ける画像記録が行われる記録領域と同等、またはそれ以上となっている。具体的には、各ラインヘッド３１Ｃ〜３１Ｙは、１色あたり６個の記録ヘッド７１を記録媒体２１の幅方向に千鳥状に配置することで構成されている。勿論、ラインヘッドを構成する記録ヘッド７１の数はこれに限られずに、記録領域と同等、またはそれ以上となれば任意に設定可能である。そして、ラインヘッド３１Ｃ〜３１Ｙは、図示されないインク供給系からそれぞれ供給された各色インクを記録媒体２１に吐出して画像を記録する。
【００２１】
このようにヘッド部３１は、ラインヘッド３１Ｃ〜３１Ｙを有し、カラー画像を記録することができる。  
また、間隔調整部材３３は、ヘッド保持部材３２の、後述する搬送機構１３と対向する対向面に設けられている。具体的には、対向面に於ける搬送方向上流側（ヘッド部３１より搬送方向上流側）に間隔調整部材３３ａ及び３３ｃが設けられ、搬送方向下流側（ヘッド部３１より搬送方向下流側）に間隔調整部材３３ｂ及び３３ｄが設けられている。
【００２２】
この間隔調整部材３３（３３ａ〜３３ｄ）は、搬送機構１３に向けて突出されて形成されたピンであり、各ラインヘッド３１Ｃ〜３１Ｙにおける各記録ヘッド７１のノズル面より僅かに突出する長さを有している。本実施形態では、間隔調整部材３３の先端をノズル面より１．５ｍｍ突出させている。
【００２３】
尚、間隔調整部材３３は、図示されない突出量調整部材によって、記録ヘッド（図示せず）のノズル面から突出させる量、すなわち記録媒体２１とノズル面との距離を可変可能となっている。  
また、間隔調整部材３３は、図示されないが、その軸方向に貫通孔が設けられており、この貫通孔に、後述するワイヤ５１（５１ａ〜５１ｄ）が通されている。
【００２４】
次に、搬送機構１３について説明する。  
搬送機構１３は、供給部１１の搬送方向下流側に配置され、画像記録部１２と対向配置されている。この搬送機構１３は、吸引ファン４１と、搬送ベルト４２と、プラテン４３と、駆動ローラ４４と、従動ローラ４５と、テンションローラ４６と、搬送フレーム４７とで構成されている。
【００２５】
搬送ベルト４２は、無端で帯状に形成され、且つ、その表面に多数の孔が設けられている。この搬送ベルト４２は、駆動ローラ４４、従動ローラ４５及びテンションローラ４６によってテンションが掛けられた状態で保持されている。
【００２６】
駆動ローラ４４、従動ローラ４５及びテンションローラ４６は、回転可能に搬送フレーム４７に保持されている。尚、駆動ローラ４４には、モータ４９が接続されており、該モータ４９が駆動されることによって、搬送ベルト４２が所定方向に移動する。
【００２７】
また、搬送ベルト４２の下方には、プラテン４３が設けられている。このプラテン４３も、搬送フレーム４７によって保持されている。プラテン４３は、少なくとも画像記録部１２と対向する領域が平面となるように加工されており、多数の孔が形成されている。
【００２８】
吸引ファン４１は、プラテン４３の下方に配置されて、搬送フレーム４７によって保持されている。この吸引ファン４１は、前述した搬送ベルト４２に形成された多数の孔からプラテン４３の多数の孔を通して、エアーを吸引する。これにより、レジストローラ対２４から搬送された記録媒体２１は、搬送ベルト４２上に吸着され、所定の搬送速度で下流側へと搬送される。
【００２９】
次に、昇降機構１４について説明する。  
昇降機構１４は、４本のワイヤ５１（５１ａ、５１ｂ、５１ｃ、５１ｄ）と、駆動源としてのモータ５２と、モータ５２と連結された巻き取り軸５４と、ワイヤ５１（５１ａ、５１ｂ、５１ｃ、５１ｄ）を巻き取る巻き取り部５３と、で構成されている。
【００３０】
各ワイヤ５１ａ、５１ｂ、５１ｃ、５１ｄは、その一端側は巻き取り部５３で固定されており、他端側は、前述した搬送機構１３に固定されている。このようにして、ワイヤ５１ａ〜５１ｄは、画像記録部１２に対して搬送機構１３を吊り下げた状態としている。
【００３１】
モータ５２は、図２に示されるように、ヘッド保持部材３２に取り付けられており、ギア群を介して、搬送方向に延存する巻き取り軸５４を回転させる。この巻き取り軸５４には、各ワイヤ５１ａ〜５１ｄを巻き上げるための４個の巻き取り部５３が取り付けられている。
【００３２】
そして、モータ５２によって巻き取り軸５４が所定方向に回転すると、巻き取り部５３も巻き取り軸５４の回転に従って回転する。また、モータ５２を逆回転させることで、巻き取り軸５４が、前述した回転方向とは逆方向に回転する。これにより、巻き取り部５３は、各ワイヤ５１ａ〜５１ｄを同時に巻き出す、又は巻き取る。
【００３３】
次に、収納部１５について説明する。  
収納部１５は、搬送機構１３の搬送方向下流に配置されている。この収納部１５は、排紙ローラ対６１と、ストッカ６２とを有している。排紙ローラ対６１は、画像記録済みの記録媒体２１を搬送機構１３から排出する役目をなすものである。ストッカ６２は、画像記録済みの記録媒体２１をストックする役目をなしている。  
また、制御部１７は、このインクジェットプリンタ１０全体の制御を司るためのものである。
【００３４】
次に、このインクジェットプリンタ１０の全体動作の概要について説明する。  
尚、インクジェットプリンタ１０が画像記録を行う際は、図１（ａ）に示されるように、昇降機構１４によって搬送機構１３を記録位置へと上昇させている。この時、間隔調整部材３３に当てつけ部（図示せず）が当接することで、画像記録部１２と搬送機構１３との間隔は、画像記録を行うのに最適な値となる。
【００３５】
インクジェットプリンタ１０では、先ず、記録媒体２１の取り出しに係る動作が、次のようにして行われる。  
制御部１７から駆動力伝達系に駆動命令が出されて、給紙ローラ２３が回転駆動される。給紙ローラ２３によって、給紙トレイ２２から記録媒体２１がピックアップされると、このピックアップされた記録媒体２１が記録媒体搬送方向に沿って、レジストローラ対２４に搬送される。
【００３６】
尚、制御部１７では、内部のＲＯＭに記憶されている記録媒体の種類情報が取得され、給紙ローラ２３の駆動時間が設定される。これは、記録媒体２１の表面の摩擦係数に応じて、給紙ローラ２３の記録媒体の取り出し時間に差が出るためである。
【００３７】
給紙ローラ２３によって記録媒体２１が取り出されると、続いて、レジストローラ対２４によって記録媒体２１の姿勢が整えられる。  
具体的には、記録媒体２１がレジストローラ対２４に押し当てられた後、所定時間ピックアップローラ２３が駆動される。このピックアップローラ２３の駆動により、記録媒体２１は、レジストローラ対２４に向かって押圧され、記録媒体２１の先端は、レジストローラ対２４の長手方向全体に渡って接触する。これにより、記録媒体２１の幅方向は、レジストローラ対２４の長手方向と一致する。
【００３８】
このようにして、記録媒体２１の姿勢が整えられた後、制御部１７は、レジストローラ対２４の駆動を開始する。これにより、記録媒体２１は搬送機構１３に搬送される。
【００３９】
記録媒体２１が搬送機構１３に搬送されると、続いて、画像記録部１２による画像記録に係る動作が、次のようにして行われる。  
先ず、制御部１７により、給紙部１１から記録媒体２１が搬送される前に、吸引ファン４１に駆動命令が出される。これと共に、制御部１７により、駆動モータ４９に駆動命令が出されて、搬送ベルト４２が駆動される。これにより、記録媒体２１は、搬送ベルト４２に密着保持され、記録媒体搬送方向に沿って所定速度で移動される。
【００４０】
記録媒体２１は、ヘッド部３１と対向する位置に搬送される前に、図示されない検知手段によって、記録媒体２１の幅方向における両端が読み取られる。制御部１７では、読み取られた結果に基づいて各ラインヘッド３１Ｃ〜３１Ｙの駆動を制御する。これにより、記録媒体２１の幅を超えて画像が記録されることが防止される。
【００４１】
続いて、記録媒体２１の先端が順次、各ラインヘッド３１Ｃ〜３１Ｙと対向する位置まで搬送されると、制御部１７から画像記録命令が出される。これにより、各ラインヘッド３１Ｃ〜３１Ｙの各記録ヘッド７１のノズルから記録媒体２１に対してインクの吐出が開始される。ラインヘッド３１Ｃ〜３１Ｙは、記録媒体２１の幅全体に渡って延出されているため、一度の吐出で、幅全体に渡って画像を記録し得る。そして、記録媒体２１の後端がヘッド部３１を通過すると、画像記録された記録媒体２１が排紙ローラ対６１によって排紙トレイ６２に排出されることになる。
【００４２】
次に、ヘッド部３１を構成するためにヘッド保持部材３２に複数の記録ヘッド７１を位置決め固定する工程の詳細を説明する。  
ここで記録ヘッド７１は、製造上の誤差等によって記録ヘッド７１毎にインクの吐出特性が異なってくる。例えば、図４は、記録ヘッド７１の吐出特性を示した図であり、横軸に記録ヘッド７１のノズル番号（Ｎｏ．）を示し、縦軸に各ノズルにおけるインクの噴射速度を表している。なお、図４に於いて、横軸に示すノズル番号（Ｎｏ．）の目盛は目安であり、実際のノズル番号を表すものではない。また、縦軸を表す射出速度は相対的な速度で示されている。
【００４３】
例えば、図４（ａ）に示すように、記録ヘッドの中には、各ノズルから吐出されたインクの噴射速度を近似した直線が第１ノズル（記録ヘッドの長手方向における一方の端部）から最終ノズル（記録ヘッドの長手方向における他方の端部）にかけて噴射速度が速くなる傾向の吐出特性を有するものがある。また、記録ヘッドの中には別の傾向として、図４（ｂ）に示すように、各ノズルから吐出されたインクの噴射速度を近似した直線が第１ノズルから最終ノズルにかけて噴射速度が遅くなる傾向の吐出特性を有するものがある。さらに、記録ヘッドの中には別の形態として、図４（ｃ）に示すように、各ノズルから吐出されたインクの噴射速度を近似した直線が第１ノズルから最終ノズルにかけて噴射速度が同じ（変化がない）傾向の吐出特性を有するものがある。
【００４４】
このように記録ヘッド７１の各々は、図４（ａ）、（ｂ）、（ｃ）に示されるように、個々に吐出特性が異なるため、本実施形態では、製造工程等に於いて、予め単体検査を実施し、記録ヘッド７１の吐出特性が識別できるようにしておく。具体的には、同じ吐出特性を有する記録ヘッドに同じ形状のシールやマークを付与することで記録ヘッドの吐出特性を識別したり、吐出特性が保持されたバーコードを各記録ヘッドに付与し、該バーコードを読み取ることで記録ヘッドの吐出特性の識別を行う。これにより、同じ吐出特性の傾向を有する記録ヘッド毎に分類可能としている。なお、本実施形態では、記録ヘッドの吐出特性をインクの噴射速度に関して代表的に３つ例示したが、これに限らず、さらに細分化しても構わない。また、記録ヘッドの吐出特性の分類としてインクの噴射速度を用いたが、記録ヘッドから吐出されるインクの吐出方向を含む飛翔特性等によって分類してもよい。
【００４５】
そして、前述したように吐出特性が識別可能な記録ヘッド７１をヘッド保持部材３２に位置決め固定する。本実施形態では、ヘッド保持部材３２には、２４個の開口７０が形成されており、それぞれの開口７０に対して記録ヘッド７１が挿入され、固定ビス７６、７７により固定されることになるが、図５及び図６に示されるようなヘッド調整治具９０を用いて位置決め、固定される。なお、図５は、ヘッド調整治具９０の構造を示した斜視図であり、図６は、調整コマの動きの概略を示した図である。
【００４６】
ヘッド調整治具９０は、調整治具本体（フレーム）９１と、Ｙ方向調整コマ９３と、θ方向調整コマ９５と、付勢バネ１００と、を有して構成される。  
調整治具本体９１は、記録ヘッド７１の長手方向に沿って直線状に延出された本体部９１ａと、この本体部９１ａより略９０度に折り曲げられてＹ方向調整コマ９３と係合する腕部９１ｂと、ビス９４によって調整治具本体９１をヘッド保持部材３２に固定するための固定部９１ｃと、本体部９１ａより折り曲げられて付勢バネ１００が取り付けられた中間部９１ｄと、θ方向調整コマ９５と係合する腕部９１ｅと、ビス９６によって調整治具本体９１をヘッド保持部材３２に固定するための固定部９１ｆと、より構成される。
【００４７】
尚、固定部９１ｃ及び固定部９１ｆには、ヘッド保持部材３２の孔７９及び８０と対応した位置に遊びを有した孔が形成されている。つまり、この孔は、ヘッド保持部材３２の孔７９及び８０より大きな孔となっている。そして、この孔を介してビス９４及び９６によって固定部９１ｃ及び固定部９１ｆとヘッド保持部材３２を固定する。
【００４８】
ヘッド移動部材としてのＹ方向調整コマ９３は、テーパ面を有し、図６に示されるように、記録ヘッド７１の長手方向の位置を調整するためのもので、前述したヘッド保持部材３２の孔７７に挿入される。
【００４９】
同様に、ヘッド移動部材としてのθ方向調整コマ９５は、テーパ面を有し、記録ヘッド７１のθ方向の位置、すなわち記録ヘッド７１をＸＹ平面に対して調整するためのもので、ヘッド保持部材３２の孔７８に挿入される。また、腕部９１ｂとＹ方向調整コマ９３、腕部９１ｅとθ方向調整コマ９５には、それぞれ互いに螺合するためのネジ溝が形成されている。
【００５０】
付勢部材としての付勢バネ１００は、記録ヘッド７１を所定方向に付勢する付勢部と、この付勢バネ１００をロック状態、アンロック状態にするための爪部を有して構成される。更に、この付勢バネ１００の支点となる部分には、支軸１０１が設けられている。この支軸１０１を中心に、付勢バネ１００はヘッド調整治具９０の中間部９１ｄに対して回動可能になっている。
【００５１】
このように、付勢バネ１００が支軸１０１を中心に回動することで、爪部が中間部９１ｄを挟み込んだ状態（ロック状態）と、爪部が中間部９１ｄを挟み込んだ状態を解除した状態（アンロック状態）との２つの状態にすることができる。  
また、付勢バネ１００は、ロック状態時に記録ヘッド７１をＹ方向調整コマ９３、及びθ方向調整コマ９５に当接させる方向に付勢している。
【００５２】
ここで、図６を参照して、調整コマの動きについて説明する。  
付勢バネ１００によってＹ方向調整コマ９３、及びθ方向調整コマ９５のテーパ面と記録ヘッド７１が当て付いた状態となる。  
この状態でθ方向の調整を行う場合は、θ方向調整コマ９５を移動させることでθ方向調整コマ９５のテーパ面が記録ヘッド７１に当接した状態で移動する。これにより記録ヘッド７１はテーパ面によって移動し、θ方向の位置調整が行われる。
【００５３】
また、Ｙ方向の調整を行う場合は、θ方向と同様に、Ｙ方向調整コマ９３を移動させることでＹ方向調整コマ９３のテーパ面が記録ヘッド７１に当接した状態で移動する。これにより記録ヘッド７１はテーパ面によって移動し、Ｙ方向の位置調整が行われる。そして記録ヘッド７１は、ヘッド調整治具９０によって前述した吐出特性に基づいてヘッド保持部材３２に対して位置が調整され、固定される。
【００５４】
このようにヘッド調整治具９０によってヘッド保持部材３２の各開口７０に固定される記録ヘッド７１は、図７に示すような関係となっている。図７は、記録ヘッド７１を該記録ヘッドの吐出特性に基づいてヘッド保持部材３２に固定した図である。
【００５５】
前述したように本実施形態では、図４（ａ）〜（ｃ）に示すような３つの異なる吐出特性を有する記録ヘッド７１が使用される。なお、以下では、図４（ａ）の吐出特性を有する記録ヘッド７１を記録ヘッド７１Ａとし、図４（ｂ）の吐出特性を有する記録ヘッド７１を記録ヘッド７１Ｂとし、図４（ｃ）の吐出特性を有する記録ヘッド７１を記録ヘッド７１Ｃとして説明する。
【００５６】
図７に示すように各ラインヘッド３１Ｃ〜３１Ｙは、それぞれ６個の記録ヘッド７１を有している。そして、ラインヘッド３１Ｃは、各記録ヘッド７１を搬送方向Ｄと直交する方向に千鳥状に配置し、ラインヘッド３１Ｋは、ラインヘッド３１Ｃの千鳥状に配置されたそれぞれの記録ヘッド７１に対応させて各記録ヘッド７１をラインヘッド３１Ｃより搬送方向下流に配置する。同様にラインヘッド３１Ｍは、ラインヘッド３１Ｃの千鳥状に配置されたそれぞれの記録ヘッド７１に対応させて各記録ヘッド７１をラインヘッド３１Ｋより搬送方向下流に配置し、ラインヘッド３１Ｙは、ラインヘッド３１Ｃの千鳥状に配置されたそれぞれの記録ヘッド７１に対応させて各記録ヘッド７１をラインヘッド３１Ｍより搬送方向下流に配置する。
【００５７】
そして、本実施形態では、例えば、ラインヘッド３１Ｃにおいて搬送方向Ｄと平行な仮想線１０２ａ上に位置する記録ヘッド７１が記録ヘッド７１Ａであった場合、各ラインヘッド３１Ｋ，３１Ｍ，３１Ｙにおいても仮想線１０２ａ上に位置する記録ヘッド７１を記録ヘッド７１Ａとする。つまり、仮想線１０２ａ上に位置する記録ヘッドをすべて同じ吐出特性を有する記録ヘッド７１Ａにする。同様に、仮想線１０２ｂ上には、各ラインヘッド３１Ｃ〜３１Ｙともに記録ヘッド７１Ｂを配置し、仮想線１０２ｃ上には、各ラインヘッド３１Ｃ〜３１Ｙともに記録ヘッド７１Ａを配置する。さらに仮想線１０２ｄ上には、各ラインヘッド３１Ｃ〜３１Ｙともに記録ヘッド７１Ｂを配置し、仮想線１０２ｅ上には、各ラインヘッド３１Ｃ〜３１Ｙともに記録ヘッド７１Ｃを配置し、仮想線１０２ｆ上には、各ラインヘッド３１Ｃ〜３１Ｙともに記録ヘッド７１Ａを配置する。
【００５８】
このように１つの仮想線の中で使用される記録ヘッド７１の吐出特性は、図７に示される如く、同じ傾向を有するものが使用されることとなる。換言すれば、複数の記録ヘッドでラインヘッドを構成し、このラインヘッドを搬送方向下流に複数配置して画像記録を行う際、搬送される記録媒体に対して同一領域にインクを吐出する記録ヘッドをすべて同じ吐出特性を有する記録ヘッドとする。なお、同一領域とは、例えば、ラインヘッド３１Ｃの６個の記録ヘッド７１がそれぞれ記録を行う領域のことをいう。
【００５９】
これによって、仮に、記録ヘッド７１と記録媒体２１との距離が機械的な公差等に起因してばらつきが生じ、記録媒体２１への着弾の位置が若干ずれたとしても、そのずれ方は、記録媒体２１の搬送方向に対して同様のずれ方になるため、色毎の着弾の重なりのズレ量は微小なものとなる。つまり、ヘッド部３１に吐出特性が異なる記録ヘッドが混在しても、記録媒体２１までの距離や記録媒体２１の搬送速度が変化しても着弾精度を確保することができる。
【００６０】
尚、本実施形態に於いては、記録ヘッドの位置調整を、図５に示されるようなヘッド調整治具９０を使用した例で説明したが、これに限られるものではない。例えば、記録ヘッドの位置調整は自動調整であってもよいし、その他の方法で行ってもよい。つまりは、吐出特性に応じて記録ヘッドをヘッド保持部材に取り付けられるものであれば、どのような方法であってもよい。
【産業上の利用可能性】
【００６１】
本発明によれば、複数の記録ヘッドでラインヘッドを構成し、このラインヘッドを記録媒体の搬送方向に複数配置して画像記録を行った時に、各ラインヘッドの記録ヘッドから吐出されたインクの着弾の重なりのズレ量を微小にすることができるインクジェットプリンタが得られる。
【符号の説明】
【００６２】
１０…インクジェットプリンタ、１１…供給部、１２…画像記録部、１３…搬送機構、１４…昇降機構、１５…収納部、１７…制御部、２１…記録媒体、２２…給紙台、２３…給紙ローラ、２４…レジストローラ対、２４ａ、２４ｂ…レジストローラ、３１、３１Ｋ、３１Ｃ、３１Ｍ、３１Ｙ…ヘッド部、３２…ヘッド保持部材、３３、３３ａ、３３ｂ、３３ｃ、３３ｄ…間隔調整部材、４１…吸引ファン、４２…搬送ベルト、４３…プラテン、４４…駆動ローラ、４５…従動ローラ、４６…テンションローラ、４７…搬送フレーム、４９、５２…モータ、５１、５１ａ、５１ｂ、５１ｃ、５１ｄ…ワイヤ、５３…巻き取り部、５４…巻き取り軸、６１…排紙ローラ対、６２…ストッカ、７０…開口、７１…記録ヘッド、７３、７４、７７、７８、７９、８０…孔、７５、７６、９４、９６…ビス、９０…ヘッド調整治具、９１…調整治具本体（フレーム）、９１ａ…本体部、９１ｂ、９１ｅ…腕部、９１ｃ、９１ｆ…固定部、９１ｄ…中間部、９３…Ｙ方向調整コマ、９５…θ方向調整コマ、１００…付勢バネ。
【図１】
2011161902.tif 000003
【図２】
2011161902.tif 000004
【図３】
2011161902.tif 000005
【図４】
2011161902.tif 000006
【図５】
2011161902.tif 000007
【図６】
2011161902.tif 000008
【図７】
2011161902.tif 000009